(57)【要約】      （修正有）【課題】店や会場への客の来店確率を高めて店や会場での商品の販売促進システムを提供する。【解決手段】イベント案内２に鍵１をはめ込みあるいは張付けたり添付して顧客に、手渡しまたは送付する。鍵１を持参する客は、店や会場の入り口で、探知装置を受け取り、探知装置を使って宝箱４を探す。探知装置を持つ顧客が、店内を探知すると、所定の距離内において信号を送信する探知対象発見用通信機の信号を前記探知装置が受信し応答することで、探知装置や探知対象発見用通信機がブザー音やランプで発光し、あるいは探知装置が備えるディスプレイで近くに宝箱４があることを顧客に知らせる。客は、店内を宝探しして、店側が来て欲しい場所に配置した前記宝箱４を探知装置Ｔを用いて探知して、鍵１を使って宝箱４を店で開け、所定の来店記念品５を持ち帰ることができ、イベント効果が期待出来るシステムとなっている。【選択図】図１
2018129015.tif 000002
【特許請求の範囲】
【請求項１】
客が持ち帰ることができる来店記念品を収納するための宝箱を店や会場に配置し、前記宝箱を開ける鍵を、客宛に渡し・または送付し、鍵を渡され又は送付を受けた客が店へ前記鍵を持って来店した際、前記宝箱を探知する探知装置を客に渡し、前記探知装置を用いて前記宝箱を探知させ、前記宝箱には店側が用意した所定の持ち帰り来店記念品を収納して置き、客が持参した鍵を用いて前記宝箱を開いて来店記念品を持ち帰ることができるようにし設定され、客の店や会場への来客を案内促進する集客販売促進システムであって、
販売促進をする商品の情報と販売店の情報と客が持ち帰りできる来店記念品の案内とが添付されまたは印刷されたイベント案内と、
前記イベント案内に張り付けあるいは添付される鍵と、
前記鍵により開けることができ客が持ち帰りできる来店記念品を収納した宝箱と、
前記宝箱の探知装置と、
前記探知装置に対して所定の距離内において信号を送信する探知対象発見用通信機と、を含み、探知対象発見用通信機は、客から直接目視できないように前記宝箱の内・外に配置され、前記探知装置と、前記探知対象発見用通信機とは、相対的に通信を行う事で前記探知装置を持参する客が前記宝箱を探知可能な通信装置を構成し、
前記探知装置を持つ客が、店内や会場内を探知することで店側が案内したい場所に配置した前記宝箱を探知することが可能な、集客販売促進システム。
【請求項２】
請求項１に記載の集客販売促進システムであって、前記システムは前記鍵により開けることができる宝箱が複数個により構成され、前記複数個の宝箱にはそれぞれ前記探知対象発見用通信機が配置され、前記探知装置は、前記複数の探知対象発見用通信機の内の特定の前記探知対象発見用通信機とで通信を行い反応する構成とした、集客販売促進システム。
【請求項３】
請求項１又は２に記載の集客販売促進システムであって、複数個の前記宝箱の内一つ又は複数個を客が発見できるように、客毎に探知可能な宝箱が異なるように前記探知装置を設定可能で、前記探知装置は、一つもしくは複数の前記探知対象発見用通信機とで通信を行える構成である、集客販売促進システム。
【請求項４】
請求項１から３のいずれかに記載の集客販売促進システムであって、複数個の前記宝箱の複数個を客が発見できるよう設定可能で、前記探知装置は、複数の前記探知対象発見用通信機が所定の順番で通信を行う構成である、集客販売促進システム。
【発明の詳細な説明】
【技術分野】
【０００１】  本発明は、店頭での呼び込み、新聞の折込、直接配送や宅配便等を用いた集客販売促進システムに関し、客が持ち帰ることができる来店記念品を収納した宝箱を開けることのできる鍵を、客宛に手渡し又は送付し、鍵を持った客が店や会場へ来店した際、持参した鍵で宝箱を開け、宝箱に収納してある店が用意した持帰り来店記念品を持ち帰ることができるようにして、客の店や会場への来客を案内し促進する宝探し集客販売促進システムに関するものである。
【背景技術】
【０００２】  呼び込みや、宅配便、あるいはダイレクトメールなどを用いて商品の販売店への集客販売促進を案内、促進する集客販売促進方法は従来から存する。このような集客販売促進方法においては、来店率を高めるために、店や会場への来客時に客に販売促進品、たとえば粗品、菓子等を無料で配布することが行われている。【０００３】  このような従来の集客販売促進方法に対して、近年は、客に斬新な印象と、興味を与えて集客率を高め、店での客の滞在時間を長くすることが可能な宅配便を用いた集客販売促進方法やシステムが提案され利用されている（特許文献１参照）。
【先行技術文献】
【０００４】
【特許文献１】特許第４６２６８３６号公報
【発明の概要】
【発明が解決しようとする課題】
【０００５】  特許文献１に記載するような集客販売促進方法やシステムにおいては、店への来客数も増加し、来店記念品の詰め込み等で店における滞在時間が長くなり、店での商品の販売が促進されるという利点があった。しかしながら、客側で来店記念品の詰込み等の楽しみがあるものの、来店記念品やその量があらかじめ想定可能であり、期待感や、ワクワク感が十分でなく、来店記念品の種類によっては客への総案内・配達数量に比べて来客数が必ずしも増加しないケースが生じる問題があった。【０００６】  本発明は、集客販売促進システムにおける上記問題を解決し、お宝発見の仕組みを構築して店や会場への来店動機を増す期待感や、ワクワク感が十分確保でき、客への総案内・配達数量に比べて来客数を増加できる宝探し集客販売促進システムを提供する。
【課題を解決するための手段】
【０００７】  上記課題を解決するため、本発明の宝探し集客販売促進システムは、客が持ち帰ることができる来店記念品を収納した宝箱を店や会場に配置し、前記宝箱を開ける鍵を、客宛に手渡しあるいは送付し、鍵の手渡し又は送付を受けた客が店へ前記鍵を持参して来店した際、宝箱を探知する探知装置を客に渡し、前記探知装置を用いて前記宝箱を探知させ、前記宝箱には店側が用意した所定の持ち帰り来店記念品を収納して置き、客が持参した鍵を用いて前記宝箱を開いて来店記念品を持ち帰ることができるように設定され、客の店への来客を案内促進する集客販売促進システムであって、
販売促進をする商品の情報と販売店の情報と客が持ち帰りできる来店記念品の案内とが添付されまたは印刷されたイベント案内と、
前記イベント案内手段に張り付けあるいは添付される鍵と、
前記鍵により開けることができ客が持ち帰りできる来店記念品を収納した宝箱と、
前記宝箱の探知装置と、
前記探知装置に対して所定の距離内において信号を送信する探知対象発見用通信機と、を含み、探知対象発見用通信機は、客から直接目視できないように前記宝箱の内・外に配置され、前記探知装置と、前記探知対象発見用通信機とは、相対的に通信を行う事で前記探知装置を持参する客が前記宝箱を探知可能な通信装置を構成し、
前記探知装置を持つ客が、店内を探知することで所定の商品がある場所に配置した前記宝箱を探知することが可能な、構成を有するものである。【０００８】  また、集客販売促進システムであって、前記システムは前記鍵により開けることができる宝箱が複数個により構成され、前記複数個の宝箱にはそれぞれ前記探知対象発見用通信機が配置され、前記探知装置は、前記複数の探知対象発見用通信機の内の特定の前記探知対象発見用通信機とで通信を行い反応する構成としたものでも良い。【０００９】  さらには、集客販売促進システムであって、複数個の前記宝箱の内一つ又は複数個を客が発見できるように、客毎に探知可能な宝箱が異なるように前記探知装置を設定可能で、前記探知装置は、一つもしくは複数の前記探知対象発見用通信機とで通信を行える構成であっても良い。【００１０】  また、さらに集客販売促進システムであって、複数個の前記宝箱の複数個を客が発見できるよう設定可能で、前記探知装置は、複数の前記探知対象発見用通信機が所定の順番で通信を行う構成であるとさらに良い。
【発明の効果】
【００１１】  本発明によれば、客が店で探知装置を用いて宝箱を探知する、いわゆるお宝探しができ、お宝箱を発見する喜び、宝箱に入っている来店記念品を見つけるサプライズがあり、客がお宝箱を探すことで店での滞在時間を長くすることが可能となり、客を店側が見せたい場所にスムースに案内できる利点を生じる。客への総手渡し・送付数量に比べて来客数を増加できる宝探し集客販売促進システムを提供することができる。
【図面の簡単な説明】
【００１２】
【図１】  本発明の実施例における宝探し集客販売促進システムを使用した集客販売促進の手順を示す説明図。
【図２】  （ａ）同実施例における宝探し集客販売促進システムにおけるポスティング用のイベント案内と封筒と鍵を送る状態を説明する説明図、（ｂ）同実施例におけるダイレクトメール用のイベント案内の概要を示す図である。
【図３】  （ａ）同実施例における鍵で開ける宝箱の斜視図、（ｂ）同実施例における来店記念品を収納した状態の宝箱の要部拡大斜視図である。
【図４】  同実施例における複数個の探知装置、複数の探知対象発見用通信機が通信を行う構成を示す全体構成システム説明図である。
【発明を実施するための形態】
【実施例】
【００１３】    本発明の実施例を図１から図４により説明する。図１は、本発明の実施例における宝探し集客販売促進システムを使用した集客販売促進の手順を示すものであり、以下に店への来客を案内促進する集客販売促進システムについて説明する。まず、来店を希望する店（店舗であっても良いし、イベント会場のように常設でない店（総合展示場等を含む）でも良い）は、客が持ち帰ることができる来店記念品を収納した宝箱４を店の複数箇所（一個所でも良い）配置して置く。そして、前記宝箱４を開ける鍵１を、店舗・総合展示場等・モデルハウス等の店の前で渡して呼込みを行う。この呼込みと合わせて、あらかじめ客に鍵１を送付しておくことで、来客数が増える。店舗・総合展示場等・モデルハウス等の店の前で渡して呼込みを行わずに、あらかじめ客に鍵１を送付しておくことで販売促進をする方法でも良い。また、来店を希望する客に鍵１を渡し又は送付する際には、販売する商品の情報や販売店の情報と、客が持ち帰りできる来店記念品５の説明や案内、そして宝箱４を探す企画の説明を添付又は印刷したイベント案内手段としてのイベント案内２も手渡し又は送付する（呼び込み段階Ａ）。鍵１は、前記イベント案内２に張り付けあるいは添付しておくと良い。【００１４】  鍵１を渡され又は送付を受けた客が店へ前記鍵１を持って来店（会場の場合は入り口に入場）した際には、店は、前記宝箱４を探知するための探知装置Ｔを客に渡し（鍵１に結び付けても良い）、前記探知装置Ｔを用いて店内の適所に配置した前記宝箱４を探知してもらう（探知装置手渡し段階Ｂ）。前記宝箱４には、店側が用意しておいた所定の持ち帰り来店記念品５を収納して置き、客が持参した鍵１を用いて前記宝箱４を開いて来店記念品５を持ち帰ることができるように設定している。前記宝箱４の探知装置Ｔと通信できる探知対象発見用通信機Ｈが、客からは直接目視できないように前記宝箱４の内側又は外側に配置されている。探知対象発見用通信機Ｈは、前記探知装置Ｔに対して所定の距離内において信号を送信する機能を含んでおり、前記探知装置Ｔと前記探知対象発見用通信機Ｈとは、相互にあるいは一方的に通信を行う事で前記探知装置Ｔを持参する客が前記探知対象発見用通信機Ｈの側にある前記宝箱４を探知可能な一対の通信装置を構成する。【００１５】  具体的には後に説明するが、前記探知装置Ｔを持つ客が、店内を探知し、所定の距離内において信号を送信する前記探知対象発見用通信機Ｈの信号を前記探知装置Ｔが受信し応答信号を発すると、前記探知対象発見用通信機Ｈがブザー音を発し近くに宝箱４があることを客に知らせる。また、前記探知装置Ｔの応答電波を受信して前記探知対象発見用通信機Ｈ自体がブザー音とともにランプを発光させて客に宝箱が近くにあることを知らせるような構成とすることでも良い。また逆に客が持参する探知装置Ｔ自体がブザー音やランプ発光して客が来て欲しい場所に配置した前記宝箱４に気付くようにしても良い。このようにして客が探知装置Ｔを持って店内や会場内を宝探しすることで、宝箱を探知することができる。前記探知装置Ｔがディスプレイを備えた携帯電話のような構造にしておけば、前記探知装置Ｔ自体が店内のレイアウトを表示す���こともでき、また前記探知対象発見用通信機Ｈの電波・信号を受けて宝箱４の位置を探知装置Ｔのディスプレイで表示しても良い。本宝探し集客販売促進システムでは、前記鍵１により開けることができる宝箱４が複数個用意され、前記複数個の宝箱４にはそれぞれ前記探知対象発見用通信機Ｈが配置され、前記探知装置Ｔは、前記複数の探知対象発見用通信機Ｈの内の特定の前記探知対象発見用通信機Ｈとで通信を行い反応する構成とする。また、複数個の前記宝箱４を異なる客が発見できるように、客毎に探知可能な宝箱４がそれぞれ異なるように前記探知装置Ｔを設定することで、前記探知装置Ｔは、一つもしくは複数の前記探知対象発見用通信機Ｈとでそれぞれ独立して通信を行える構成となっている（宝探し段階Ｃ）。【００１６】  複数個の前記宝箱４の複数個を客が発見できるようにした場合には、前記探知装置Ｔは、複数の異なる前記探知対象発見用通信機Ｈが所定の順番で通信を行うよう構成できる。以上のようなシステム構成で、客が店で探知装置Ｔを用いて宝箱４を探知すると、鍵１を持参した客は、この鍵１を用いて店が用意した宝箱４を開ける。宝箱４は、鍵１にて開けられるように鍵穴４Ｈが設けられており、鍵１を鍵穴４Ｈに差し込み、宝箱４を開ける。宝箱４には店が用意した来店記念品５が収納されており、客は宝箱４から来店記念品５を取り出し持ち帰ることができる。以上のような手順で、いわゆるお宝探しができる（発見段階Ｄ）。【００１７】  店は、客に見せたい商品のある場所にスムースに客を案内でき、また異なる前記探知対象発見用通信機Ｈが所定の順番で通信を行うよう構成できるので、客を希望する順路（宝探しの設定順路）で客を案内することができる。この後店は客と具体的な商談に入る（契約段階Ｅ）。以上のようなシステム構成では、宝箱４を発見する喜び、宝箱４に入っている来店記念品５を見つけるサプライズがあり、客が宝箱４を探すことで店での滞在時間を長くすることが可能となる。【００１８】  図２（ａ）は、本実施例における宝探し集客販売促進システムにおけるポスティング用のイベント案内と封筒と鍵を送る状態を説明する説明図、（ｂ）は本実施例におけるダイレクトメール用のイベント案内の概要を示す図である。本実施例における鍵１は、上述したイベント会場での手渡し、に加えて、ポスティングやダイレクトメールなどを用いて送付できるように、段ボール製あるいはボール紙に鍵の図柄が印刷され、鍵の形をしている。この鍵１は、他にプラスチック製やアルミ等の金属で成形されたものであっても良い。本実施例における販売促進システムでは、前記鍵１は、イベント案内２とともに来店を希望する顧客宛に送付・配達できる。イベント案内２には、販売促進をしようとする商品（住宅や車、携帯電話、洋服、宝石等）の情報、販売店やイベント会場の地図や名前、開催期間・時間等の情報、客が鍵を使ってイベントに参加する方法、持ち帰りできる来店記念品の案内などがボール紙やチラシ紙に添付されまたは印刷されている。さらに、イベント案内２には、店であらかじめ用意した宝箱４を鍵１で開けることができる旨の説明やお宝探しイベントの概要、持ち帰る来店記念品５の説明が印刷されている。ポスティングやダイ���クトメール等の送り先も、イベント案内２に印刷され、ポスティングやダイレクトメールなどや宅配便で客に送付されあるいは折新聞の折り込みチラシとして配布される。【００１９】  所定の持ち帰り来店記念品５としては、本実施例では、キッチン用品、お掃除用品、お菓子、ティッシュ、栗・ジャガイモ等の農産物やみかんなどの果物等、チョコレートなどを店（常設店あるいは特別会場もここでは店とする）が用意する。また来店記念品５としては他に、装飾品、化粧品、金券、割引券、お食事券等を適宜選択し、用意する。準備総数は、イベント案内の送付総枚数と店への客の来客予想率とから算出される数をもとに準備される。【００２０】  以下に、前記探知装置Ｔを持つ客が、店内を探知し、所定の距離内において信号を送信する前記探知対象発見用通信機Ｈの信号を前記探知装置Ｔが受信する仕組みについて説明する。図４は、本実施例における複数個の探知装置Ｔ、複数の探知対象発見用通信機Ｈが通信を行う構成を示す全体構成システム説明図である。前記探知装置Ｔにより探知対象発見用通信機Ｈの位置を検索する通信システムの構成は、図に示すように、検索の対象となる宝箱４の近くには、ブルートゥース規格の電波を発する探知対象発見用通信機Ｈが配置されている。前記探知装置Ｔは鍵１に結び付けるか、又は客が保持する。前記探知装置Ｔは、探知対象発見用通信機Ｈの発するブルートゥース規格の電波を受信可能な構成となっている。ブルートゥース規格の電波を送受信する通信システム（機器）の構成については、当業者で既知の内容であり、ここでは詳細な説明を略する。複数の探知装置Ｔ又探知対象発見用通信機Ｈは、既存の携帯通信機器により構成され、この探知装置Ｔ（携帯通信機器）と探知対象発見用通信機Ｈとは、インターネット等の回線を通じて通信可能な主制御コンピュータＭ（サーバを含む）に通信接続されている。なお、本実施例では、ブルートゥース規格の電波を発する探知対象発見用通信機Ｈと前記探知装置Ｔが使用されているが、ブルートゥース規格以外の通信用電波を使用することができることは当分野の業者の適宜選択できる事項である。また、ブルートゥース規格の電波を発する探知対象発見用通信機Ｈと前記探知装置Ｔの受信側と送信側の役割を入れ替えて使用することも、適宜選択できる。【００２１】  なお前記特定の探知装置Ｔを持つ特定の客が、複数のどの探知対象発見用通信機Ｈを発見することができるように、発信内容として探知対象発見用通信機Ｈ毎に異なるＩＤを少なくとも発信する機能を備えたものであり、ブルートゥースは２．４ＧＨｚ帯を７９の周波数チャネルに分け、利用する周波数をランダムに変える周波数ホッピングを行いながら、半径１０−１００ｍ程度のＢｌｕｅｔｏｏｔｈ搭載機器と、最大２４Ｍｂｐｓで無線通信を行うものである。そして、複数の探知装置Ｔは、捜索対象の宝箱にそれぞれ付された探知対象発見用通信機Ｈの検索対象となる特定のＩＤを受信するとともに、特定のＩＤを有する電波を受信すると、受信した旨を探知装置Ｔ自信が備えるブザーやランプで表示するとともに、当該特定のＩＤおよび自己位置情報や探知対象発見用通信機Ｈの存在可能範囲を探知装置Ｔのディスプレイに表示すすととも���、主制御コンピュータＭに送信する。これらのプログラムは、アプリケーションケーションとして予め主制御コンピュータＭと、複数の探知装置Ｔと、探知対象発見用通信機Ｈにプログラムされている。【００２２】  なお前記特定の探知装置Ｔを持つ特定の客は、複数のどの探知対象発見用通信機Ｈを発見することができるようにするか、あるいは時間順を決めて前記特定の探知装置Ｔを持つ特定の客が複数のどの探知対象発見用通信機Ｈを順次発見することができるようにするかは、主制御コンピュータＭがプログラム可能である。探知対象発見用通信機Ｈは発信内容として探知対象発見用通信機Ｈ毎に異なるＩＤを少なくとも発信する機能を備えたものであるので、探知装置Ｔが受信して反応する特定のＩＤを時間的に変更し、あるいは選択的に特定のＩＤを指定して受信するよう主制御コンピュータＭ側で、探知装置Ｔや対象発見用通信機Ｈの設定を適切に設定できる構成となっている。【００２３】  また、主制御コンピュータＭは、店側の設定で、検索の対象となる探知対象発見用通信機Ｈの検索対象のＩＤを受付け、検索対象のＩＤを複数の探知装置Ｔに送信する、探知装置Ｔからの当該特定のＩＤを受信した旨および受信した探知装置Ｔの位置情報も受信する。検索の対象となる探知対象発見用通信機Ｈの発見とその位置情報を主制御コンピュータＭのディスプレイＤにも出力し店の全体の状態が把握される。探知装置Ｔの形態は鍵１に取り付け可能な札やタグのような形態でも良いが、鍵１と一体に構成しても良いし、特に探検やお宝探しのイメージを持つ物々しい発信器の形態で構成されても良い。
【産業上の利用可能性】
【００２４】  本発明は、従来の課題であった集客と販売促進の効果的な方法であり、住宅販売、車、携帯電話、宝石、着物などの高額商品を対象にする場合に効果的に使用可能である。
【符号の説明】
【００２５】１  鍵、
２  イベント案内、
３  封筒、
４  宝箱
４Ｈ  宝箱の鍵穴、
５  来店記念品。
Ｍ  主制御コンピュータ、
Ｔ  探知装置、
Ｈ  探知対象発見用通信機。
【図１】
2018129015.tif 000003
【図２】
2018129015.tif 000004
【図３】
2018129015.tif 000005
【図４】
2018129015.tif 000006